(57)【要約】      （修正有）【課題】光源の乏しい場所に能動照射の能力を与えるとともに、反射性質を追加することで効果の高い照明機能が与えられた能動照射及び反射性質を兼ねる織物を提供する。【解決手段】光反射性糸である縦糸を、光導体繊維糸である横糸へ交互に交差させるか、或いは、複数本連続して並ぶ所定の本数の横糸に交差させることなく、次の横糸に交差させるように織り上げることで、能動照射及び反射性質を兼ねる織物を提供する。横糸としては、光導体繊維糸へ光反射性糸を所定の割合で加えて配列させたものを使用して、織物により一層の柔軟性を与えることが出来る。【選択図】図１
0003125130.tif 000002
【実用新案登録請求の範囲】
【請求項１】
複数の縦糸と複数の横糸を交互に織り上げて形成される能動照射及び反射性質を兼ねる織物であって、
縦糸が光反射性糸であり、
横糸が外部に光を放射する光導体繊維糸で構成され
上記の縦糸が複数本連続して並ぶ任意の本数の横糸に対して交差しない形でそれ以外の横糸に交差して織り上げられ、
上記の光反射性糸は、これと交差しない上記の光導体繊維糸から放射される光線及び外光を反射するように構成されたことを特徴とする能動照射及び反射性質を兼ねる織物。
【請求項２】
上記の横糸は、上記の光反射性糸に加えて上記の光導体繊維糸で構成されたことを特徴とする請求項１に記載の能動照射及び反射性質を兼ねる織物。
【請求項３】
上記の横糸を構成する上記の光反射性糸と上記の光導体繊維糸との割合が２０：０〜１：７であることを特徴とする請求項２に記載の能動照射及び反射性質を兼ねる織物。
【請求項４】
上記の横糸を構成する上記の光反射性糸と上記の光導体繊維糸との割合が２０：０〜１：５であることを特徴とする請求項２に記載の能動照射及び反射性質を兼ねる織物。
【請求項５】
上記の光導体繊維糸は、少なくとも、側面から光を放射する光導体繊維糸を含むことを特徴とする請求項１に記載の能動照射及び反射性質を兼ねる織物。
【請求項６】
上記の光導体繊維糸の末端が接続される照射光源が、少なくとも、ＬＥＤ発光ダイオードを有することを特徴とする請求項１に記載の能動照射及び反射性質を兼ねる織物。
【請求項７】
上記の光反射性糸の横断面形状が、円形、四方形、三角形の何れかであることを特徴とする請求項１に記載の能動照射及び反射性質を兼ねる織物。
【請求項８】
上記の光反射性糸の輝度は、台湾標準規格（CNS）の規格CNS-7773で定める光沢度計量法によって規定されるレベル１〜レベル１０であることを特徴とする請求項７に記載の能動照射及び反射性質を兼ねる織物。
【請求項９】
前記織物における縦糸と横糸の密度範囲が、６．５平方センチあたり５０本〜２１０本であることを特徴とする請求項１に記載の能動照射及び反射性質を兼ねる織物。
【請求項１０】
複数の縦糸と複数の横糸を交互に織り上げて形成される能動照射及び反射性質を兼ねる織物であって、
縦糸が光反射性糸であり、
横糸が外部に光を放射する光導体繊維糸と光反射性糸とで構成され
上記の光反射性糸である縦糸が、複数本連続して並ぶ任意の本数の横糸に対して交差せずに、それ以外の横糸に交差して織り上げられ、
上記の光反射性糸は、これと交差しない上記の光導体繊維糸から放射される光線及び外光を反射するように構成されたことを特徴とする能動照射及び反射性質を兼ねる織物。
【請求項１１】
上記の横糸を構成する上記の光反射性糸と上記の光導体繊維糸との割合が２０：０〜１：７であることを特徴とする請求項１０に記載の能動照射及び反射性質を兼ねる織物。
【請求項１２】
上記の横糸を構成する上記の光反射性糸と上記の光導体繊維糸との割合が２０：０〜１：５であることを特徴とする請求項１０に記載の能動照射及び反射性質を兼ねる織物。
【請求項１３】
上記の横糸を構成する上記の光導体繊維糸が、少なくとも、側面から光を放射する光導体繊維糸を含むことを特徴とする請求項１０に記載の能動照射及び反射性質を兼ねる織物。
【請求項１４】
上記の光導体繊維糸の末端が接続される照射光源が、少なくとも、ＬＥＤ発光ダイオードを有することを特徴とする請求項１０に記載の能動照射及び反射性質を兼ねる織物。
【請求項１５】
上記の光反射性糸の横断面形状が、円形、四方形、三角形の何れかであることを特徴とする請求項１０に記載の能動照射及び反射性質を兼ねる織物。
【請求項１６】
上記の光反射性糸の輝度は、台湾標準規格（CNS）の規格CNS-7773で定める光沢度計量法によって規定されるレベル１〜レベル１０であることを特徴とする請求項７に記載の能動照射及び反射性質を兼ねる織物。
【請求項１７】
前記織物における縦糸と横糸の密度範囲が、６．５平方センチあたり５０本〜２１０本であることを特徴とする請求項１０に記載の能動照射及び反射性質を兼ねる織物。
【考案の詳細な説明】
【技術分野】
【０００１】
本考案は、能動照射及び反射性質を兼ねる織物、特に光反射性糸及び光導体繊維糸からなる発光性の織物に関するものである。
【背景技術】
【０００２】
夜間照明や飾りまたは警報システムは、普通、二種類に分けられている。その一つは、受動反射式装置であって、電力消費が不必要で、外光源を反射することで警報作用を達成する。一般に、受動反射式装置は、プラスチック反射ロッドや反射板の形式で良く見られるが、材質が硬く、回りの環境に光源がない時に、光線を反射できないため、発光効果が失ってしまう。
【０００３】
他の一つは、能動照射式装置であって、蛍光発光またはランプ発光を主な発光源としている。この装置は輝度が高く、環境に制限されないが、装置が複雑、大型且つ高価で、服または飾り品上の警告ラベルまたは飾り模様とすることに適していない。
【考案の開示】
【考案が解決しようとする課題】
【０００４】
従来知られている光導体繊維糸は、一般のプラスチック光ファイバーを側壁のカーボンフッ素化物に塗布して物理または化学方式で部分的に破壊して形成されて側面からの光の放射を可能としている。この光導体繊維糸の端末に光源を供給すると、光線が光導体繊維糸に沿って行進し、光導体繊維糸の側壁の反射材料が部分的に破壊されるため、光線がこの場所から徐々に漏れ、光導体繊維糸の側面が発光状態になる。しかし、全体を光導体繊維糸で構成したものは、柔軟度が足りなく、曲げ角度大きくすることが困難であった。そのため、質軽く、柔軟な特性を有するとともに、均一な発光効果が供給でき、服や飾り品や掲示板または警報装置に適する能動照射織物が必要とされる。
【課題を解決するための手段】
【０００５】
本考案の課題は、光源の乏しい場所に能動照射の能力を与えるとともに、反射性質を追加することで効果の高い照明機能が与えられた能動照射及び反射性質を兼ねる織物を提供する。
【０００６】
本考案の他の課題は、軽くて柔軟で携帯可能且つ能動照射及び反射性質を兼ねる織物を提供し、服や飾り品や掲示板または警報装置などの物品作製に好適に利用できる。
【０００７】
本考案は、上記の課題を解決するために、複数の縦糸と複数の横糸を交互に織り上げて形成される能動照射及び反射性質を兼ねる織物を提供するものである。縦糸としては光反射性糸が使用され、横糸としては外部に光を放射する光導体繊維糸が使用される。縦糸は複数本連続して並ぶ任意の本数の横糸に交差しない形でそれ以外の横糸に交差して織り上げられ、上記の光反射性糸である縦糸は、これと交差しない上記の光導体繊維糸から放射される光線及び外光を反射するように構成される。
【０００８】
更に、本考案は、横糸として光導体繊維糸と光反射性糸とを併用した織物を提供する。光反射性糸と光導体繊維糸との割合を選択し、縦糸である光反射性糸及び横糸である光導体繊維糸を所定の並びに配列させ、光反射性糸である縦糸が同じく同じく光り反射性糸である横糸に交差する形で織り上げられる。
【０００９】
本考案の織物において使用される光導体繊維糸は、側面から光を放射する光ファイバーであることが望ましい。このような光ファイバーは照射光源、例えば、ＬＥＤ発光ダイオードに接続できる。光導体繊維糸が１〜７本を束ねて照射光源に接続でき、３〜５本で束ねて照射光源に接続するのがより好ましい。
【００１０】
本考案の織物において使用される光反射性糸は、断面円形や正方形または三角形の光反射性糸である。また、光反射性糸の輝度範囲は、台湾標準規格（CNS）の規格CNS-7773で定める光沢度計量法によって規定されるレベル１〜レベル１０であることが望ましく、レベル５〜１０の間がより好ましい。また、横糸を構成する光導体繊維糸と光反射性糸との割合（光導体繊維糸：光反射性糸）が２０：０〜１：７であることが好ましく、２０：０〜１：５がより好ましい。２０：０は横糸が全て光導体繊維糸であることを示す。
【００１１】
本考案は、能動照射光源に接続する横糸である光導体繊維糸により能動発光能力を織物に与えることができる能動照射及び反射性質を兼ねる織物を提供する。また、反射性質のある光反射性糸を用いて、光反射性糸自体と光反射性糸とが交互に織り上げてできる平面で外光を反射するとともに、光導体繊維糸からの光線をも反射して、光線を同一方向に向けて配向させ、光の強度を上げながら、均一した光を与えることができる。更に、本考案では、横糸である光導体繊維糸を複数本飛ばして光反射性糸が走ることになるため、織物に軽く柔軟な性質を与え、光反射性糸である縦糸が同じく光反射性糸である横糸に交差して織り上げることで、織物に一層の柔軟性を与える。
【考案を実施するための最良の形態】
【００１２】
本考案に係る好ましい実施形態に係る能動照射と反射性質とを兼ねる織物を説明する。本考案では数種の輝度の異なる光反射性糸を使用することや、横糸を構成する光導体繊維糸と光反射性糸との割合を異ならせた幾つかの実施例や変更例を開示する。本考案の技術分野での技術を熟知するものが、本考案に係る複数の好ましい実施例の説明によって、本考案をより理解できるとともに、本考案の権利範囲を逸脱しない範囲内で各種の変更を行うことが可能である。
【００１３】
実施例において使用される光反射性糸の輝度は、上記のＣＮＳ−７７７３光沢度計量法によって測定され、繊維の反射能力に従って輝度を１０レベルに分けられる。そのうち、レベル１〜３が反射性質を持ってない糸で、または霧面糸と称され、レベル３以上〜レベル１０が反射性質を持つ光反射性糸である。好ましい実施例では、輝度レベル５以上である光反射性糸を使用する。
【００１４】
（実施例１）
図１に示すように、本実施例では、縦糸１０２は全て輝度レベル５となった断面が円形の光反射性糸を使用し、横糸１０４は全て光導体繊維糸を用い、図１に示すように、光導体繊維糸と光反射性糸を織り上げて第１織物を形成する。
【００１５】
図１Ａは、第１織物の縦方向断面図であり、円形１０４ａは光導体繊維糸の断面で、糸１０２ａが輝度レベル５の円形断面の光反射性糸である。光導体繊維糸が光反射性糸と交差しない部分、即ち、複数本並ぶ光導体繊維糸に光反射糸が連続して交差しない部分が領域１０６ａで、交差する部分が領域１０８ａである。光導体繊維糸を１〜７本、好ましくは３〜５本で、光導体繊維糸の端末を能動照射光源、例えば、ＬＥＤ発光ダイオードに接続することで、第1織物に能動照射機能を与える。
【００１６】
このようにして形成された第１織物が能動発光すると、領域１０６ａの断面円形の光反射性糸が光導体繊維糸からの光線を反射し、LED光源からの能動光１１０を均一化させる共に同一方向に向けて光を放射する。領域１０８ａの断面円形の光反射性糸は、例えば、外部照明や太陽光等の外部光源からの外光１１２を反射できる。
【００１７】
（実施例２）
上記の実施例１を変更したもので、縦糸１０２を全て輝度レベル５である断面が三角形の光反射性糸を使用し、横糸１０４は全て光導体繊維糸を用いる。図１に示す織り方と同様に、光導体繊維糸と三角形光反射性糸を織り上げて、能動照射及び外光反射性質を兼ねる第２織物を得る。その他の構成は、実施例１と同一であるため、繰り返し説明しない。
【００１８】
（実施例３）
上記の実施例１を変更したもので、縦糸１０２を全て輝度レベル７である断面が円形の光反射性糸を使用し、横糸１０４は全て光導体繊維糸を用いる。図１に示す織り方と同様に、光導体繊維糸と断面円形の光反射性糸を織り上げて、能動照射及び外光反射性質を兼ねる第３織物を得る。
【００１９】
（実施例４）
上記の実施例１を変更したもので、縦糸１０２を全て輝度レベル７である断面三角形の光反射性糸を使用し、横糸１０４は全て光導体繊維糸を用いる。図１に示す織り方と同様に、光導体繊維糸と三角形光反射性糸を織り上げて、能動照射及び外光の反射性質を兼ねる第４織物を得る。
【００２０】
（実施例５）
上記の実施例１を変更したもので、縦糸１０２を全て輝度レベル１０である断面が円形の光反射性糸を使用し、横糸１０４は全て光導体繊維糸を用いる。図１に示す織り方と同様に、光導体繊維糸と断面円形の光反射性糸を織り上げて、能動照射及び外光反射性質を兼ねる第５織物を得る。
【００２１】
（実施例６）
上記の実施例１を変更したもので、縦糸１０２を全て輝度レベル１０である断面が三角形の光反射性糸を使用し、横糸１０４は全て光導体繊維糸を用いる。図１に示す織り方と同様に、光導体繊維糸と三角形光反射性糸を織り上げて、能動照射及び外光の反射性質を兼ねる第６織物を得られる。
【００２２】
（実施例７）
上記の実施例１を変更したもので、図２に示すように、縦糸２０２は全て輝度レベル５である断面が円形の光反射性糸を用いて、横糸２０４及び２０６は、それぞれ光光導体繊維糸と輝度レベル５である断面が円形の光反射性糸である。また、図２に示すように、縦糸である各光反射糸は、横糸として光反射性糸と交互に並ぶ複数本の光導体繊維糸に対して交差せず、これらの横糸を飛ばして次の光導体繊維糸と交差するように織り上げられて、第７織物を得る。
【００２３】
図２Ａは、第７織物の縦方向断面図である。同図に示すように、中空円形２０４ａが光導体繊維糸の断面を示し、中実円形２０６ａが横糸を構成する断面円形の光反射性糸の断面を示し、２０２ａは円形断面の光反射性糸である縦糸を示す。光導体繊維糸が円形光反射性糸と交差しない部分が領域２０８ａで、交差する部分が領域２１０ａである。光導体繊維糸を１〜７本、好ましくは３〜５本で、光導体繊維糸の端末を能動照射光源、例えば、ＬＥＤ発光ダイオードに接続して、第７織物に能動照射機能を与える。
【００２４】
第７織物が能動発光すると、領域２０８ａの断面円形の光反射性糸が光導体繊維糸からの光線を反射し、LED光源からの能動光２１４を均一化させるとともに、同一方向に向けて光を放射する。断面円形の光反射性糸同士が相互に交差する図２中の平面２０８、図２Ａ中の領域２１０ａは例えば、外部照明や太陽光等の外部光源からの外光１１２を反射する。
【００２５】
（実施例８）
本実施例は、実施例７を変更したものであり、図２に示すように、縦糸２０２は全て輝度レベル５である断面が三角形の光反射性糸を使用し、横糸２０４は光導体繊維糸を、横糸２０６は輝度レベル５である断面が三角形の光反射性糸を使用する。また、図２に示すように、縦糸である各光反射糸は、横糸として光反射性糸と交互に並ぶ複数本の光導体繊維糸に対して交差せず、これらの横糸を飛ばして次の光導体繊維糸と交差するように織り上げられて、第８織物を得る。
【００２６】
図２Ｂは、第８織物の縦方向断面図である。同図に示すように、中空円形２０４ｂが光導体繊維糸の断面を示し、中実円形２０６ｂが断面三角形の光反射性糸の断面を示し、２０２ｂは断面三角形の光反射性糸である縦糸を示す。光導体繊維糸が断面三角形の光反射性糸と交差しない部分が領域２０８ｂで、交差する部分が領域２１０ｂである。光導体繊維糸を１〜７本、好ましくは３〜５本で、光導体繊維糸の端末を能動照射光源、例えば、ＬＥＤ発光ダイオードに接続して、第８織物に能動照射機能を与える。
【００２７】
第８織物が能動発光すると、領域２０８ｂの断面円形の光反射性糸が光導体繊維糸からの光線を反射し、LED光源からの能動光２１４を均一化させるとともに、同一方向に向けて光を放射する。断面円形の光反射性糸同士が相互に交差する図２中の平面２０８、図２A中の領域２１０aは例えば、外部照明や太陽光等の外部光源からの外光2１２を反射できる。
【００２８】
（実施例９）
本実施例は、実施例７を変更したものであり、図２で示す縦糸２０２を、全て輝度レベル７である断面円形の光反射性糸とし、横糸２０４及び２０６は、それぞれ光導体繊維糸と輝度レベル７である断面が円形の光反射性糸である。また、図２に示すように、縦糸である各光反射糸は、横糸として光反射性糸と交互に並ぶ複数本の光導体繊維糸に対して交差せず、これらの横糸を飛ばして次の光導体繊維糸と交差するように織り上げられて、第９織物を得る。本実施例及び以降で示す実施例は、実施例７または８と同じであるので、繰り返し説明しない。
【００２９】
（実施例１０）
本実施例は、実施例8を変更したものであり、図２で示す縦糸２０２を、全て輝度レベル７である断面三角形の光反射性糸とし、横糸２０４及び２０６は、それぞれ光導体繊維糸と輝度レベル７である断面三角形の光反射性糸である。また、図２に示すように、縦糸である各光反射糸は、横糸として光反射性糸と交互に並ぶ複数本の光導体繊維糸に対して交差せず、これらの横糸を飛ばして次の光導体繊維糸と交差するように織り上げられて、第１０織物を得る。
【００３０】
（実施例１１）
本実施例は、実施例７を変更したものであり、図２で示す縦糸２０２を、全て輝度レベル１０である断面円形の光反射性糸とし、横糸２０４及び２０６は、それぞれ光導体繊維糸と輝度レベル１０である断面円形の光反射性糸である。また、図２に示すように、縦糸である各光反射糸は、横糸として光反射性糸と交互に並ぶ複数本の光導体繊維糸に対して交差せず、これらの横糸を飛ばして次の光導体繊維糸と交差するように織り上げられて、第１１織物を得る。
【００３１】
（実施例１２）
本実施例は、実施例８を変更したもののであり、図２で示す縦糸２０２を、全て輝度レベル１０である断面三角形の光反射性糸とし、横糸２０４及び２０６は、それぞれ光導体繊維糸と輝度レベル１０である断面三角形の光反射性糸である。また、図２に示すように、縦糸である各光反射糸は、横糸として光反射性糸と交互に並ぶ複数本の光導体繊維糸に対して交差せず、これらの横糸を飛ばして次の光導体繊維糸と交差するように織り上げられて、第１２織物を得る。
【００３２】
（実施例１３）
本実施例は、実施例７を変更したものであり、図３に示す縦糸３０２は全て輝度レベル５である断面円形の光反射性糸を用いる。横糸は光導体繊維糸３０４と、輝度レベル５である断面円形の光反射性糸３０６とが用いられ、3本の光反射性糸が連続して2本の光導体繊維糸の間に配列される。図３に示すように、縦糸である各光反射糸は、複数本連続して並ぶ光反射性糸と光導体繊維糸とに対して交差せず、これらの横糸を飛ばして次の光反射性糸３０６と交差するように織り上げられて、第１３織物を得る。
【００３３】
図３Ａは、第１３織物の縦方向断面図である。同図に示すように、中空円形３０４ａが光導体繊維糸の断面を示し、中実円形３０６ａが円形光反射性糸の断面を示し、糸３０２ａが円形断面の光反射性糸である縦糸を示す。光導体繊維糸が断面円形の光反射性糸と交差しない部分が領域３０８ａで、交差する部分が領域３１０ａである。光導体繊維糸を１〜７本、好ましくは３〜５本で、光導体繊維糸の端末を能動照射光源、例えば、ＬＥＤ発光ダイオードに接続して、第１３織物に能動照射機能を与える。
【００３４】
第１３織物が能動発光すると、領域３０８ａの円形光反射性糸が光導体繊維糸からの光線を反射し、LED光源からの能動光３１４を均一化させるとともに、同一方向に向けて光を放射する。断面円形の光反射性糸同士が交差する図３のうちの平面３０８、及び図３Ａのうちの領域３１０ａは、外部照明や太陽光等の外部光源からの外光３１２を反射する。
【００３５】
（実施例１４）
本実施例は、実施例７を変更したものであり、図３に示すように、縦糸３０２は全て輝度レベル５である断面三角形の光反射性糸を使用する。横糸は光導体繊維糸３０４と、輝度レベル５である断面三角形の光反射性糸３０６とが用いられ、3本の光反射性糸３０６が連続して2本の光導体繊維糸３０４の間に配列される。図３に示すように、縦糸である各光反射糸は、複数本連続して並ぶ光反射性糸と光導体繊維糸とに対して交差せず、これらの横糸を飛ばして次の光反射性糸３０６と交差するように織り上げられて、第１４織物を得る。
【００３６】
図３Ｂは、第１４織物の縦方向断面図である。同図に示すように、中空円形３０４ｂが光導体繊維糸の断面を示し、中実円形３０６ｂが断面三角形の光反射性糸の断面を示し、３０２ｂが断面三角形の光反射性糸である縦糸を示す。光導体繊維糸が断面三角形の光反射性糸と交差しない部分が領域３０８ｂで、交差する部分が領域３１０ｂである。光導体繊維糸を１〜７本、好ましくは３〜５本で、光導体繊維糸の端末を能動照射光源、例えば、ＬＥＤ発光ダイオードに接続して、第１４織物に能動照明機能を与える。
【００３７】
第１４織物が能動発光すると、領域３０８ｂの断面円形の光反射性糸が光導体繊維糸からの光線を反射し、LED光源からの能動光３１４を均一化させるとともに、同一方向に向けて光を放射する。断面円形の光反射性糸同士が交差する図３中の平面３０８、及び図３Ａ中の領域３１０ａは、外部照明や太陽光等の外部光源からの外光３１２を反射できる。
【００３８】
（実施例１５）
本実施例は実施例１３を変更したものであり、図３で示す縦糸３０２を、全て輝度レベル７である断面円形の光反射性糸を使用し、横糸として光導体繊維糸３０４と、輝度レベル７の円形光反射性糸３０６とが使用され、3本の光反射性糸３０６が連続して2本の光導体繊維糸３０４の間に配列される。図３に示すように、縦糸である各光反射糸は、複数本連続して並ぶ光反射性糸と光導体繊維糸とに対して交差せず、これらの横糸を飛ばして次の光反射性糸３０６と交差するように織り上げられて、第１５織物を得る。本実施例及び以降の実施例は、上記の実施例１３または１４と同じであるので、繰り返し説明しない。
【００３９】
（実施例１６）
本実施例は実施例１４を変更したものであり、図３で示す縦糸３０２を、全て輝度レベル７である断面三角形の光反射性糸を使用し、横糸として光導体繊維糸３０４と、輝度レベル７の断面三角形の光反射性糸３０６とが使用され、3本の光反射性糸３０６が連続して2本の光導体繊維糸３０４の間に配列される。図３に示すように、縦糸である各光反射糸は、複数本連続して並ぶ光反射性糸と光導体繊維糸とに対して交差せず、これらの横糸を飛ばして次の光反射性糸３０６と交差するように織り上げられて、第１６織物を得る。
【００４０】
（実施例１７）
本実施例は実施例１３を変更したものであり、図３で示す縦糸３０２を、全て輝度レベル１０である断面円形の光反射性糸を使用し、横糸として光導体繊維糸３０４と、輝度レベル10の断面円形の光反射性糸３０６とが使用され、3本の光反射性糸３０６が連続して2本の光導体繊維糸３０４の間に配列される。図３に示すように、縦糸である各光反射糸は、複数本連続して並ぶ光反射性糸と光導体繊維糸とに対して交差せず、これらの横糸を飛ばして次の光反射性糸３０６と交差するように織り上げられて、第１７織物を得る。
【００４１】
（実施例１８）
本実施例は実施例１４を変更したものであり、図３で示す縦糸３０２を、全て輝度レベル１０である断面三角形の光反射性糸を使用し、横糸として光導体繊維糸３０４と、輝度レベル１０の断面三角形の光反射性糸３０６とが使用され、3本の光反射性糸３０６が連続して2本の光導体繊維糸３０４の間に配列される。図３に示すように、縦糸である各光反射糸は、複数本連続して並ぶ光反射性糸と光導体繊維糸とに対して交差せず、これらの横糸を飛ばして次の光反射性糸３０６と交差するように織り上げられて、第１８織物を得る。
【００４２】
上記の実施例１〜１８において作製された第１〜第１８織物に対して輝度テストを行った。このテストでは、台湾標準規格（CNS）の規格CNS-５０６４の輝度計量法によって各織物の輝度を測定し、各織物についての相対輝度を求めた。相対輝度は、実施例１〜１８においての輝度が最も高い実施例６を１００％とした時の他の織物の輝度の比率である。このようにして求めた相対輝度を、使用された光反射性糸の種類及び横糸として使用した光導体繊維糸と光反射性糸の割合と共に、表１に示す。
【表１】
0003125130.tif 000003
【００４３】
表1から、以下の特徴が判明した。第１の特徴は、輝度のレベル高い光反射性糸の方が、輝度のレベル低い光反射性糸より、織物の輝度が向上される。例えば、横糸が全て光導体繊維糸を用いる場合、輝度レベル７の光反射性糸を用いる縦糸の織物の輝度は、輝度レベル５の光反射性糸を用いる縦糸の織物の輝度より高く、第３織物の輝度が第１織物より高い。この結果から明らかのように、光反射性質を持っていない糸を用いて織物材料とするものに比べれば、光反射性糸を用いた本考案の織物には、明らかに輝度の向上が見られる。
【００４４】
第２の特徴は、光反射性糸の形状である。表１に示されるように、横糸を構成する光導体繊維糸と光反射性糸との割合が同じ場合、断面が三角形の光反射性糸を用いる織物の輝度が、全て円形光反射性糸を用いる織物の輝度より高い。これは、断面三角形の光反射性糸が光線を反射し易い平面を備えるためであり、横糸での光導体繊維糸の使用割合が同じ場合は、三角形光反射性糸の方が円形光反射性糸より織物の輝度が向上される。同様に、断面正方形の光反射性糸も織物の光反射能力を向上でき、織物の輝度を向上する効果が達成できる。
【００４５】
第３の特徴は、横糸の光導体繊維糸と光反射性糸の使用割合である。光導体繊維糸の使用割合が大きくほど、織物の輝度が高くなる。一方、横糸に使用する光反射性糸の割合を高くすると、織物の質が軽く、柔軟になり、且つ、光反射性糸で交互に編んでなる平面（例えば、図３中の平面３０８）と光反射性糸自体が、ともに能動光の均一化及び外光反射の効果を発揮する。横糸の光導体繊維糸と光反射性糸の割合範囲が、２０：０〜約１：７に介在すれば良く、２０：０〜約１：５がより好ましい。
【００４６】
上述したように、本考案は光導体繊維糸を材料とする織物を提供し、照射光源を光導体繊維糸の端末に接続し、本考案の織物が能動発光の性質を有することになる。本考案の他の特徴は、織物の中に光反射性糸を用いることである。光反射性糸自体と光反射性糸とが交互に編んでなる平面で外光を反射するとともに、光導体繊維糸からの光線も反射し、光線を同一側向きに揃えて発光させ、光源を強化並び均一化させる目的を達成する。更に、本考案では、横糸を光導体繊維糸と光反射性糸とで構成して、光反射性糸である縦糸を同じく光反射性糸である横糸に交差させることで、織物により一層の柔軟性を与えることが出来る。
【００４７】
本考案は、その用途に応じて、横糸として使用する光導体繊維糸の割合及び光反射性糸の種類を調整することができる。例えば、本考案の発光織物を警報ラベルとすると、横糸に全て光導体繊維糸を用い、輝度１０の三角形または四方形の光反射性糸を使用する縦糸と交差させて織り上げた織物では最も高い輝度が与えられて警告作用を発揮する。また、例えば、本考案の織物を服または飾り品に適用する場合は、横糸として光反射性糸を光導体繊維糸と併用することで、織物の柔軟性が向上でき、服または飾り品に使用上の快適性と発光装飾効果との両方を与えることが出来る。
【００４８】
上記の実施例における特定の数値や比率、例えば、輝度５や「１：７」または方向を示す「上方」や「下方」なる語句は、考案の内容を分かりやすく説明するために使用したものであり、本考案の範囲を制限するものではない。前記の説明は、単に本考案の好ましい実施例に過ぎなく、本考案の登録請求の範囲を制限するものではなく、当該分野における通常の知識を有する専門家は本考案が開示する技術の範疇で、適当に変更や修飾などを実施できるが、それらの実施態様は本考案の請求の範囲内であるべきことは言うまでもないことである。
【図面の簡単な説明】
【００４９】
【図１】図１は、光反射性糸を縦糸とし、光導体繊維糸を横糸とし、横糸と縦糸とを交差させて織り上げた織物を示す図である。
【図１Ａ】図１Ａは、織物を示す断面図である。
【図２】図２は、光反射性糸を縦糸とし、所定の割合で配列する光導体繊維糸と光反射性糸とを横糸として織り上げた織物を示す図である。
【図２Ａ】図２Ａは、横糸の断面形状、及び横糸と縦糸との編み方法を示す織物の断面図である。
【図２Ｂ】図２Ｂは、横糸の断面形状、及び横糸と縦糸との編み方法を示す織物の断面図である。
【図３】図３は、光反射性糸を縦糸とし、所定の割合で配列する光導体繊維糸と光反射性糸とを横糸として織り上げた織物を示す図である。
【図３Ａ】図３Ａは、横糸の断面形状、及び横糸と縦糸との編み方法を示す織物の断面図である。
【図３Ｂ】図３Ｂは、横糸の断面形状、及び横糸と縦糸との編み方法を示す織物の断面図である。
【符号の説明】
【００５０】
１０２  縦糸
１０４  横糸
１０２ａ  光反射性糸
１０４ａ  光導体繊維糸
１０６ａ  縦糸と横糸とが交差しない部分
１０８ａ  縦糸と横糸とが交差する部分
１１０  能動光
１１２  外光
２０２  縦糸
２０４、２０６  横糸
２０８  平面
２０２ａ  糸
２０４ａ  中空円形
２０６ａ  中実円形
２０８ａ、２１０ａ  領域
２１２  外光
２１４  能動光
２０２ｂ  糸
２０４ｂ  中空円形
２０６ｂ  中実円形
２０８ｂ、２１０ｂ  領域
３０２  縦糸
３０４、３０６  横糸
３０８  平面
３０２ａ  糸
３０４ａ  中空円形
３０６ａ  中実円形
３０８ａ、３１０ａ  領域
３１２  外光     
３１４  能動光
３０２ｂ  糸
３０４ｂ  中空円形
３０６ｂ  中実円形
３０８ｂ、３１０ｂ  領域
【図１】
0003125130.tif 000004
【図１Ａ】
0003125130.tif 000005
【図２】
0003125130.tif 000006
【図２Ａ】
0003125130.tif 000007
【図２Ｂ】
0003125130.tif 000008
【図３】
0003125130.tif 000009
【図３Ａ】
0003125130.tif 000010
【図３Ｂ】
0003125130.tif 000011